(57)【要約】【課題】本発明はパソコンの物貯蔵ボックスを開示した。【解決手段】物貯蔵ボックスとメインフレームとを含み、二つの前記物貯蔵ボックスの中にはそれぞれ一つの物貯蔵溝が設置され、二つの前記物貯蔵溝の内部にはそれぞれ一つの物貯蔵機構が設置され、二つの前記物貯蔵機構が左右対称であり、右側の前記物貯蔵機構は前記物貯蔵溝の右端壁と回転できるように連結された物貯蔵軸を含み、前記物貯蔵軸には物貯蔵板が固定的に設置され、本装置はデスクトップ型のパソコンのメインフレームの上の異なる位置に置かれ、ものを貯蔵することができ、また装置の位置が自由に調節でき、異なる使用状況に対応するため、メインフレームの両側に本装置を置くこともでき、ものを取ると入れるのにもっと便利であり、占用スペースが小さく、取り付けることが簡単で、異なる規格のメインフレームに適応する。【選択図】図１
2020177625.tif 000002
【特許請求の範囲】
【請求項１】
正面視で、物貯蔵ボックスとメインフレームとを含み、二つの前記物貯蔵ボックスの中にはそれぞれ一つの物貯蔵溝が設置され、二つの前記物貯蔵溝の内部にはそれぞれ一つの物貯蔵機構が設置され、二つの前記物貯蔵機構が左右対称であり、右側の前記物貯蔵機構は前記物貯蔵溝の右端壁と回転できるように連結された物貯蔵軸を含み、前記物貯蔵軸には物貯蔵板が固定的に設置され、前記物貯蔵板の左端には短板がヒンジで連結され、前記物貯蔵板の中には前記物貯蔵板の左右端面を貫通している横溝が設置され、前記横溝の上端壁には移動溝が設置され、前記移動溝の中には移動ブロックがスライドできるように設置され、前記移動ブロックの右端面には右端が前記移動溝の右端壁と固定的に連結された移動バネが固定され、前記移動ブロックの下端面には下端が前記横溝の中に位置している移動ロッドが固定され、前記移動ロッドの下端には左端が前記横溝の左端壁を貫通している横ロッドが固定され、前記横ロッドの左端には磁石が固定され、二つの前記磁石が互いに吸引し合い、前記物貯蔵溝の右端壁には制限溝が設置され、前記メインフレームと前記物貯蔵ボックスとの間にはＬ型ロッドが設置され、前記Ｌ型ロッドの中には調節機構が設置され、前記調節機構は前記Ｌ型ロッドの中に位置している粗溝を含み、前記粗溝の後端壁には細溝が設置され、前記粗溝の中には平行移動ブロックがスライドできるように設置され、前記平行移動ブロックの上端面には上端が外部空間に位置している平行移動ロッドが固定され、前記平行移動ロッドの中には円溝が設置され、前記円溝の左端壁には定位溝が設置され、前記円溝の後端壁には前端が外部空間に位置している定位軸が回転できるように設置され、前記円溝の中の定位軸の左端面には弧状溝が設置され、前記定位溝の左端壁には定位バネが固定的に設置され、前記定位バネの右端には右端が前記弧状溝の中に位置している定位ブロックが固定され、前記円溝の下端壁には弾性溝が設置され、前記弾性溝の下端壁には弾性バネが固定的に設置され、前記弾性バネの上端には上端が前記円溝の中に位置している台形ブロックが固定され、前記平行移動ブロックの後端面には弾力溝が設置され、前記弾力溝の前端壁には弾力バネが固定され、前記弾力バネの後端には後端が前記細溝の中に位置している弾力ブロックが固定され、前記弾力ブロックと前記台形ブロックとがロープによって固定的に連結され、前記定位軸には上端面が前記物貯蔵ボックスの下端面と固定的に連結された方形ブロックが固定され、また、二つの前記磁石が互いに吸引し合う時、任意の一つの前記物貯蔵板を回転させることによってもう一つの前記物貯蔵板を連動させて一緒に運動させることができることを特徴とするパソコンの物貯蔵ボックス。
【請求項２】
前記調節機構はまた前記メインフレームに関して二つの左右対称である昇降溝を含み、前記昇降溝の上端壁が前記粗溝と連通しており、前記昇降溝の左端壁が外部空間と連通しており、右側の前記Ｌ型ロッドの中には延伸溝が設置され、左側の前記Ｌ型ロッドの右端面には右端が前記延伸溝の中に位置している延伸ロッドが固定され、前記延伸ロッドの右端には前記延伸溝とスライドできるように連結された延伸ブロックが固定され、前記延伸ブロックの右端面には右端が前記延伸溝の右端壁と固定的に連結された延伸バネが固定され、また、前記Ｌ型ロッドが前記メインフレームに取り付けられた時、前記延伸ロッドを引き動かして前記延伸溝から張り出すことを特徴とする請求項１に記載のパソコンの物貯蔵ボックス。
【請求項３】
前記Ｌ型ロッドのうち前記メインフレームに近接している端面には二つの支持ブロックが上下対称的に固定され、二つの前記支持ブロックの間には粗軸が回転できるように設置され、前記粗軸には前記メインフレームと転がれるように協働される転がり輪が固定され、前記Ｌ型ロッドの下端面には二つの力受けブロックが左右対称的に固定的に設置され、前記力受けブロックの間には細軸が回転できるように設置され、前記細軸には前記メインフレームの上端面と転がれるように連結された小輪が固定的に連結され、また、前記小輪と前記転がり輪とが前記メインフレームで転がることによって、前記Ｌ型ロッドを連動させて前記メインフレームで前後へ運動させることができることを特徴とする請求項１に記載のパソコンの物貯蔵ボックス。
【発明の詳細な説明】
【技術分野】
【０００１】
本発明はパソコン付属品分野に関わり、具体的にはパソコンの物貯蔵ボックスである。
【背景技術】
【０００２】
パソコンの物貯蔵ボックスはパソコンの周りに置き、パソコンを合わせて使用される便利なものを貯蔵する設備であり、しかし、既存のパソコンの物貯蔵ボックスは小さいデスクのような、パソコンスクリーンの下方に固定的に置かれるのであり、その位置が変えられなく、占用スペースも大きい。
【先行技術文献】
【特許文献】
【０００３】
【特許文献１】中国特許出願公開第１０８２４０５２７号明細書
【発明の概要】
【発明が解決しようとする課題】
【０００４】
本発明はパソコンの物貯蔵ボックスを提供し、上記背景技術にある欠点を解消することを目的とする。
【課題を解決するための手段】
【０００５】
上記の目的を実現するため、本発明は以下の技術プランを提供する：パソコンの物貯蔵ボックスであり、物貯蔵ボックスとメインフレームとを含み、二つの前記物貯蔵ボックスの中にはそれぞれ一つの物貯蔵溝が設置され、二つの前記物貯蔵溝の内部にはそれぞれ一つの物貯蔵機構が設置され、二つの前記物貯蔵機構が左右対称であり、右側の前記物貯蔵機構は前記物貯蔵溝の右端壁と回転できるように連結された物貯蔵軸を含み、前記物貯蔵軸には物貯蔵板が固定的に設置され、前記物貯蔵板の左端には短板がヒンジで連結され、前記物貯蔵板の中には前記物貯蔵板の左右端面を貫通している横溝が設置され、前記横溝の上端壁には移動溝が設置され、前記移動溝の中には移動ブロックがスライドできるように設置され、前記移動ブロックの右端面には右端が前記移動溝の右端壁と固定的に連結された移動バネが固定され、前記移動ブロックの下端面には下端が前記横溝の中に位置している移動ロッドが固定され、前記移動ロッドの下端には左端が前記横溝の左端壁を貫通している横ロッドが固定され、前記横ロッドの左端には磁石が固定され、二つの前記磁石が互いに吸引し合い、前記物貯蔵溝の右端壁には制限溝が設置され、前記メインフレームと前記物貯蔵ボックスとの間にはＬ型ロッドが設置され、前記Ｌ型ロッドの中には調節機構が設置され、前記調節機構は前記Ｌ型ロッドの中に位置している粗溝を含み、前記粗溝の後端壁には細溝が設置され、前記粗溝の中には平行移動ブロックがスライドできるように設置され、前記平行移動ブロックの上端面には上端が外部空間に位置している平行移動ロッドが固定され、前記平行移動ロッドの中には円溝が設置され、前記円溝の左端壁には定位溝が設置され、前記円溝の後端壁には前端が外部空間に位置している定位軸が回転できるように設置され、前記円溝の中の定位軸の左端面には弧状溝が設置され、前記定位溝の左端壁には定位バネが固定的に設置され、前記定位バネの右端には右端が前記弧状溝の中に位置している定位ブロックが固定され、前記円溝の下端壁には弾性溝が設置され、前記弾性溝の下端壁には弾性バネが固定的に設置され、前記弾性バネの上端には上端が前記円溝の中に位置している台形ブロックが固定され、前記平行移動ブロックの後端面には弾力溝が設置され、前記弾力溝の前端壁には弾力バネが固定され、前記弾力バネの後端には後端が前記細溝の中に位置している弾力ブロックが固定され、前記弾力ブロックと前記台形ブロックとがロープによって固定的に連結され、前記定位軸には上端面が前記物貯蔵ボックスの下端面と固定的に連結された方形ブロックが固定され、また、二つの前記磁石が互いに吸引し合う時、任意の一つの前記物貯蔵板を回転させることによってもう一つの前記物貯蔵板を連動させて一緒に運動させることができる。
【０００６】
好ましくは、前記調節機構はまた前記メインフレームに関して二つの左右対称である昇降溝を含み、前記昇降溝の上端壁が前記粗溝と連通しており、前記昇降溝の左端壁が外部空間と連通しており、右側の前記Ｌ型ロッドの中には延伸溝が設置され、左側の前記Ｌ型ロッドの右端面には右端が前記延伸溝の中に位置している延伸ロッドが固定され、前記延伸ロッドの右端には前記延伸溝とスライドできるように連結された延伸ブロックが固定され、前記延伸ブロックの右端面には右端が前記延伸溝の右端壁と固定的に連結された延伸バネが固定され、また、前記Ｌ型ロッドが前記メインフレームに取り付けられた時、前記延伸ロッドを引き動かして前記延伸溝から張り出す。
【０００７】
好ましくは、前記Ｌ型ロッドのうち前記メインフレームに近接している端面には二つの支持ブロックが上下対称的に固定され、二つの前記支持ブロックの間には粗軸が回転できるように設置され、前記粗軸には前記メインフレームと転がれるように協働される転がり輪が固定され、前記Ｌ型ロッドの下端面には二つの力受けブロックが左右対称的に固定的に設置され、前記力受けブロックの間には細軸が回転できるように設置され、前記細軸には前記メインフレームの上端面と転がれるように連結された小輪が固定的に連結され、また、前記小輪と前記転がり輪とが前記メインフレームで転がることによって、前記Ｌ型ロッドを連動させて前記メインフレームで前後へ運動させることができる。
【発明の効果】
【０００８】
以上により、本発明の有益な効果は：本装置は構成が簡単であり、デスクトップ型のパソコンのメインフレームの上の異なる位置に置かれ、ものを貯蔵することができ、また装置の位置が自由に調節でき、異なる使用状況に対応するため、メインフレームの両側に本装置を置くこともでき、ものを取ると入れるのにもっと便利であり、占用スペースが小さく、取り付けることが簡単で、異なる規格のメインフレームに適応する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のパソコンの物貯蔵ボックスの全体全断面の正面構成概略図
【図２】図２は本発明のパソコンの物貯蔵ボックスの中の平行移動ブロックの拡大構成概略図
【図３】図３は本発明のパソコンの物貯蔵ボックスの中の平行移動ロッドの正面断面の拡大構成概略図
【図４】図４は図３のＡの方向の断面構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４を参照し、本発明の実施例は、パソコンの物貯蔵ボックスであり、物貯蔵ボックス２７とメインフレーム３２とを含み、二つの前記物貯蔵ボックス２７の中にはそれぞれ一つの物貯蔵溝２６が設置され、二つの前記物貯蔵溝２６の内部にはそれぞれ一つの物貯蔵機構６０が設置され、二つの前記物貯蔵機構６０が左右対称であり、右側の前記物貯蔵機構６０は前記物貯蔵溝２６の右端壁と回転できるように連結された物貯蔵軸２４を含み、前記物貯蔵軸２４には物貯蔵板５４が固定的に設置され、前記物貯蔵板５４の左端には短板１６がヒンジで連結され、前記物貯蔵板５４の中には前記物貯蔵板５４の左右端面を貫通している横溝１８が設置され、前記横溝１８の上端壁には移動溝２２が設置され、前記移動溝２２の中には移動ブロック２１がスライドできるように設置され、前記移動ブロック２１の右端面には右端が前記移動溝２２の右端壁と固定的に連結された移動バネ２３が固定され、前記移動ブロック２１の下端面には下端が前記横溝１８の中に位置している移動ロッド２０が固定され、前記移動ロッド２０の下端には左端が前記横溝１８の左端壁を貫通している横ロッド１９が固定され、前記横ロッド１９の左端には磁石１７が固定され、二つの前記磁石１７が互いに吸引し合い、前記物貯蔵溝２６の右端壁には制限溝２５が設置され、前記メインフレーム３２と前記物貯蔵ボックス２７との間にはＬ型ロッド１０が設置され、前記Ｌ型ロッド１０の中には調節機構６１が設置され、前記調節機構６１は前記Ｌ型ロッドの中に位置している粗溝１５を含み、前記粗溝１５の後端壁には細溝１４が設置され、前記粗溝１５の中には平行移動ブロック１３がスライドできるように設置され、前記平行移動ブロック１３の上端面には上端が外部空間に位置している平行移動ロッド３８が固定され、前記平行移動ロッド３８の中には円溝４７が設置され、前記円溝４７の左端壁には定位溝４５が設置され、前記円溝４７の後端壁には前端が外部空間に位置している定位軸３５が回転できるように設置され、前記円溝４７の中の定位軸３５の左端面には弧状溝４６が設置され、前記定位溝４５の左端壁には定位バネ４４が固定的に設置され、前記定位バネ４４の右端には右端が前記弧状溝４６の中に位置している定位ブロック４３が固定され、前記円溝４７の下端壁には弾性溝４９が設置され、前記弾性溝４９の下端壁には弾性バネ４２が固定的に設置され、前記弾性バネ４２の上端には上端が前記円溝４７の中に位置している台形ブロック４８が固定され、前記平行移動ブロック１３の後端面には弾力溝５３が設置され、前記弾力溝５３の前端壁には弾力バネ５１が固定され、前記弾力バネ５１の後端には後端が前記細溝１４の中に位置している弾力ブロック５２が固定され、前記弾力ブロック５２と前記台形ブロック４８とがロープ５０によって固定的に連結され、前記定位軸３５には上端面が前記物貯蔵ボックス２７の下端面と固定的に連結された方形ブロック３６が固定され、また、二つの前記磁石１７が互いに吸引し合う時、任意の一つの前記物貯蔵板５４を回転させることによってもう一つの前記物貯蔵板５４を連動させて一緒に運動させることができる。
【００１３】
有益なように、前記調節機構６１はまた前記メインフレーム３２に関して二つの左右対称である昇降溝１２を含み、前記昇降溝１２の上端壁が前記粗溝１５と連通しており、前記昇降溝１２の左端壁が外部空間と連通しており、右側の前記Ｌ型ロッド１０の中には延伸溝３０が設置され、左側の前記Ｌ型ロッド１０の右端面には右端が前記延伸溝３０の中に位置している延伸ロッド３１が固定され、前記延伸ロッド３１の右端には前記延伸溝３０とスライドできるように連結された延伸ブロック２９が固定され、前記延伸ブロック２９の右端面には右端が前記延伸溝３０の右端壁と固定的に連結された延伸バネ２８が固定され、また、前記Ｌ型ロッド１０が前記メインフレーム３２に取り付けられた時、前記延伸ロッド３１を引き動かして前記延伸溝３０から張り出す。
【００１４】
有益なように、前記Ｌ型ロッド１０のうち前記メインフレーム３２に近接している端面には二つの支持ブロック３４が上下対称的に固定され、二つの前記支持ブロック３４の間には粗軸３３が回転できるように設置され、前記粗軸３３には前記メインフレーム３２と転がれるように協働される転がり輪１１が固定され、前記Ｌ型ロッド１０の下端面には二つの力受けブロック３９が左右対称的に固定的に設置され、前記力受けブロック３９の間には細軸４１が回転できるように設置され、前記細軸４１には前記メインフレーム３２の上端面と転がれるように連結された小輪４０が固定的に連結され、また、前記小輪４０と前記転がり輪１１とが前記メインフレーム３２で転がることによって、前記Ｌ型ロッド１０を連動させて前記メインフレーム３２で前後へ運動させることができる。
【００１５】
以下、出願人は附図１〜４及び上記本出願のパソコンの物貯蔵ボックスの具体的な構成を参考して本願のパソコンの物貯蔵ボックスの使用方法を詳しく紹介する：初期状態で、前記弾性バネ４２の弾力が前記弾力バネ５１のより大きい。
【００１６】
物貯蔵板５４を回転させ、二つの磁石１７の吸引し合いによってもう一つの物貯蔵板５４を連動させ一緒に回転させることができ、貯蔵溝２６の中にものを貯蔵することができ、左右へ物貯蔵ボックス２７を押し動かすことによって、物貯蔵ボックス２７の位置を調節することができ、平行移動ブロック１３が粗溝１５の中でスライドする。
【００１７】
物貯蔵ボックス２７を移動バネ２３の両側に置く時、両側へ二つの物貯蔵ボックス２７を引き、それによって二つの磁石１７が分離し、移動溝２２が復帰し、横ロッド１９を連動させて制限溝２５の中に入ってしっかりと引っ掛からせ、物貯蔵板５４が回転することができなく、物貯蔵ボックス２７が平行移動ブロック１３を昇降溝１２の上側に運動連動させ、この時、物貯蔵ボックス２７を外側へ九十度反転させ、定位軸３５を回転連動させ、それによって弧状溝４６が台形ブロック４８の位置に運動し、弾性バネ４２が上方へ復帰し、台形ブロック４８を連動させて弧状溝４６の中に入らせ、ロープ５０によって弾力ブロック５２を引き動かして細溝１４から離脱させ、平行移動ブロック１３を押し動かして昇降溝１２に沿って運動させ、それによって二つの物貯蔵ボックス２７がメインフレーム３２の両側に位置し、この時に短板１６を回転させて物貯蔵溝２６を開けることができる。
【００１８】
本発明の有益な効果は：本装置は構成が簡単であり、デスクトップ型のパソコンのメインフレームの上の異なる位置に置かれ、ものを貯蔵することができ、また装置の位置が自由に調節でき、異なる使用状況に対応するため、メインフレームの両側に本装置を置くこともでき、ものを取ると入れるのにもっと便利であり、占用スペースが小さく、取り付けることが簡単で、異なる規格のメインフレームに適応する。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020177625.tif 000003
【図２】
2020177625.tif 000004
【図３】
2020177625.tif 000005
【図４】
2020177625.tif 000006